(57)【要約】【課題】  手や腕のマッサージしないときは手や腕を置く位置が制限されずに弊害なく使用できる椅子式マッサージ機を提供する。【解決手段】  座面３、背もたれ２、肘掛け４を備えた椅子式マッサージ機である。肘掛け４を、椅子本体に対して固定的に設けられた下肘掛け部４ａと、下肘掛け部４ｂの上に着脱自在に載設された上肘掛け部４ｂとで構成する。上肘掛け部４ｂに手や腕を挟んで手や腕をマッサージするマッサージ機能を持たせる。【選択図】        図１
2005177285.tif 000002
【特許請求の範囲】
【請求項１】
座面、背もたれ、肘掛けを備えた椅子式マッサージ機において、肘掛けを、椅子本体に対して固定的に設けられた下肘掛け部と、下肘掛け部の上に着脱自在に載設された上肘掛け部とで構成し、上肘掛け部に手や腕を挟んで手や腕をマッサージするマッサージ機能を持たせたことを特徴とする椅子式マッサージ機。
【請求項２】
上肘掛け部に設けるマッサージ手段として圧縮空気により膨張、収縮する空気袋を用い、椅子本体側から空気を供給する本体側供給管の端部と、上肘掛け部の空気袋に空気を供給する上肘掛け部側空気供給管とをコネクター同士の接続で着脱自在に接続して成ることを特徴とする請求項１記載の椅子式マッサージ機。
【請求項３】
本体側供給管の端部のコネクターを下肘掛け部の上面に設けると共に上肘掛け部側空気供給管の端部のコネクターを上肘掛け部の下面に設け、下肘掛け部の上に上肘掛け部を載設した状態で上記両コネクターを接続して成ることを特徴とする請求項２記載の椅子式マッサージ機。
【発明の詳細な説明】
【技術分野】
【０００１】
本発明は、使用者の手や腕もマッサージ可能な椅子式マッサージ機に関するものである。
【背景技術】
【０００２】
従来から座面、背もたれ、肘掛けを備えた椅子式マッサージ機において、肘掛けに使用者の手や腕をマッサージする手段を備えたものは広く知らされている（例えば、特許文献１、特許文献２参照）。
【０００３】
例えば、特許文献１には、圧縮空気による膨張施療を人体の手や腕に施すことができ、肘幅方向の両側に立ち上がり壁を設けた肘掛けが例示されている。また特許文献２には、圧縮空気による膨張施療を人体の手や腕に施すことができ、肘幅方向の一方に立ち上がり壁を設けた肘掛けが例示されている。
【特許文献１】特開２００３−１８０７７３号公報
【特許文献２】特開２００３−１８０７７４号公報
【発明の開示】
【発明が解決しようとする課題】
【０００４】
従来から広く知られている上記例においては、手や腕をマッサージする手段を有した肘掛け部は椅子本体に一体に固定されているため、手や腕のマッサージに使用しないとき、手や腕を置く位置が制限される。また立ち上がり壁があるために腕の太さによってはマッサージできないが、立ち上がり壁をなくして手や腕を広範囲にわたってマッサージしようとするとどうしても肘掛けが大きくなってしまうため大きさの大きな肘掛けを取り付けたままでは椅子式マッサージ機を移動しようとした場合、肘掛けが邪魔になり、部屋の扉の開口部や廊下を通過できなく、手や腕を広範囲にマッサージすることができる肘掛け部を設けることができないという問題がある。
【０００５】
本発明は上記の従来の問題点に鑑みて発明したものであって、手や腕のマッサージしないときは手や腕を置く位置が制限されずに弊害なく使用でき、また手や腕をマッサージするときは手や腕を広範囲にマッサージすることが可能になる椅子式マッサージ機を提供することを課題とするものである。
【課題を解決するための手段】
【０００６】
上記課題を解決するために本発明に係る椅子式マッサージ機は、座面、背もたれ、肘掛けを備えた椅子式マッサージ機において、肘掛けを、椅子本体に対して固定的に設けられた下肘掛け部と、下肘掛け部の上に着脱自在に載設された上肘掛け部とで構成し、上肘掛け部に手や腕を挟んで手や腕をマッサージするマッサージ機能を持たせたことを特徴とする。手や腕のマッサージを行うときは、下肘掛け部の上に上肘掛け部を載設して取り付け、上肘掛け部の上に手や腕を置いて手や腕のマッサージを行うことができる。また手や腕のマッサージを行わないときは下肘掛け部から上肘掛け部を取り外し、下肘掛け部に手や腕を置くことができる。これにより手や腕のマッサージをしないときは手や腕を置く位置が制限されずに弊害なく使用できる。椅子式マッサージ機を移動したりする場合も上肘掛け部を取り外して行うことができるため、上肘掛け部を大きくしても弊害が生じなく、大きさの大きい上肘掛け部を設けて手や腕を広範囲に亙ってマッサージすることができる。
【０００７】
また上肘掛け部に設けるマッサージ手段として圧縮空気により膨張、収縮する空気袋を用い、椅子本体側から空気を供給する本体側供給管の端部と、上肘掛け部の空気袋に空気を供給する上肘掛け部側空気供給管とをコネクター同士の接続で着脱自在に接続して成ることを特徴とすることも好ましい。この場合、圧縮空気により膨張、収縮することでマッサージを行うマッサージ手段を有する上肘掛け部を下肘掛け部の上に載設するものでもコネクター同士を接続するだけで椅子本体側から駆動用の圧縮空気を簡単に供給できるようになる。
【０００８】
また本体側供給管の端部のコネクターを下肘掛け部の上面に設けると共に上肘掛け部側空気供給管の端部のコネクターを上肘掛け部の下面に設け、下肘掛け部の上に上肘掛け部を載設した状態で上記両コネクターを接続して成ることを特徴とすることも好ましい。この場合、上肘掛け部を下肘掛け部に載設して取り付けたとき、同時にコネクター同士を接続できてマッサージ手段を有する上肘掛け部の着脱が容易にできる。
【発明の効果】
【０００９】
本発明は、叙述の如く手や腕のマッサージを行うときは、下肘掛け部の上に上肘掛け部を載設して取り付け、上肘掛け部の上に手や腕を置いて手や腕のマッサージを行うことができ、また手や腕のマッサージを行わないときは下肘掛け部から上肘掛け部を取り外し、下肘掛け部に手や腕を置くことができるものであって、手や腕のマッサージをしないときは手や腕を置く位置が制限されずに弊害なく使用できるという効果があり、また椅子式マッサージ機を移動したりする場合も上肘掛け部を取り外して行うことができるため、上肘掛け部を大きくしても弊害が生じなく、大きさの大きい上肘掛け部を設けて手や腕を広範囲に亙ってマッサージすることができるという効果がある。
【発明を実施するための最良の形態】
【００１０】
以下、本発明を添付図面に示す実施形態に基いて説明する。先ず図１乃至図５に示す実施の形態の例から述べる。
【００１１】
図１に示すように椅子１は背もたれ２、座面３、肘掛け４、オットマン５によって主体が構成されている。肘掛け４は椅子本体の固定した下肘掛け部４ａと、この下肘掛け部４ａの上に着脱自在に載設し得る上肘掛け部４ｂとで構成されている。上肘掛け部４ｂの下面側には凹所１８が設けられており、下肘掛け部４ａの上に上肘掛け部４ｂを載設した状態で凹所１８内に下肘掛け部４ａが収まるようになっている。上肘掛け部４ｂを下肘掛け部４ａに載設した状態で凹所１８内に下肘掛け部４ａが納まることで上肘掛け部４ｂが下肘掛け部４ａに対して固定されるようにするだけでも、この状態でねじやマジックテープ等で固定されるようにしてもよい。
【００１２】
上肘掛け部４ｂの上面には上下に回動して開閉可能なカバー片６が設けられている。カバー片６の下面及び上肘掛け部４ｂの上面には夫々マッサージ手段７，８が設けられている。このマッサージ手段７，８は本例の場合、膨張、収縮可能な空気袋であり、この空気袋に連結したチューブのような上肘掛け部側空気供給管２１の端部にコネクター２２を設けてある。椅子本体側には圧縮空気を供給する供給源と本体側空気供給管で連結したコネクター２３を設けてあり、コネクター２２，２３同士を接続することでマッサージ手段７，８としての空気袋に空気が供給できるようになっている。このようにコネクター２２，２３にて空気の供給系を接続できるようになっていると、上肘掛け部４ｂが着脱自在に載設することができるものでも空気の供給系の接続や切断が容易にできる。
【００１３】
カバー片６は図１乃至図４に示すように上肘掛け部４ｂの前方に設けられた支点９にピン１０によって回転可能に支持されており、カバー片６が前部を中心に後部が上下して開閉するようになっている。また図３や図４に示すように上肘掛け部４ｂにはカバー片６の移動方向に沿ってスリット１１が設けられており、カバー片６に装着されたステー１７にはピン１２が設けてあり、スリット１１にピン１２が摺動自在に挿通してあり、スリット１１とピン１２とでカバー片６の開閉可動範囲が決められている。上記ピン１２と、上肘掛け部４ｂに設けられた支点１３に装着されたピン１４との間にはピン１２とピン１４との間の距離を広げる方向に付勢する付勢手段１５が設けられており、支点９、支点１３の位置は、カバー片６を完全に閉じた状態ではピン１２が支点９と支点１３とを結ぶ直線より下方に位置し、カバー片６を開いた状態ではピン１２が支点９と支点１３を結ぶ線より上方に位置するように設けられている。従って、図３に示すようにピン１２が支点９と支点１３よりも上方に位置する場合は、カバー片６が開く方向に力が与えられており、図４に示すようにピン１２が支点９と支点１３を結ぶ直線よりも下方に位置する場合は、カバー片６が閉じる方向に力が与えられることになる。図３に示すようにカバー片６が完全に開いた状態では付勢手段１５による力はカバー片６の重量よりも大きくなるようになっている。
【００１４】
下肘掛け部４ａの上に上肘掛け部４ｂを載置した状態で椅子１に使用者が座って手や腕のマッサージをする場合、例えば図３に示すようにカバー片６を開き、カバー片６と上肘掛け部４ｂとの間に手や腕を入れてカバー片６と上肘掛け部４ｂとの間に手や腕を挟持し、マッサージ手段７，８を駆動して手や腕のマッサージを行う。一時的に手や腕のマッサージを行わないときは、例えば図４に示すうようにカバー片６を閉じる。
【００１５】
また手や腕のマッサージを使用しないときは図２に示すように下肘掛け部４ａに対して上肘掛け部４ｂを外し、コネクター２２，２３の接続を外す。このマッサージ手段７，８を有する上肘掛け部４ｂを外すことにより、手や腕のマッサージをしないときは下肘掛け部４ａの上に手や腕を置くことができ、下肘掛け部４ａを通常の肘掛けとして使用することができる。このようにすると、手や腕のマッサージをしないとき、手や腕を置く位置が制限されなくなるので、窮屈を感じることなくリラックスできるようになる。
【００１６】
また上記のように上肘掛け部４ｂを取り外すことができるようにしたことにより、上肘掛け部４ｂを取り外した状態で椅子式マッサージ機を移動することができ、上肘掛け部４ｂが邪魔になったりしないで部屋の扉の開口や廊下を通ることができる。これにより、上肘掛け部４ｂが図５に示すようにａの寸法突出して上肘掛け部４ｂの大きさが大きくなっても弊害を生じない。これにより上肘掛け部４ｂをサイズの大きなものとして手や腕を広範囲にマッサージすることができるようになる。
【００１７】
次に図６、図７に示す実施の形態の例について述べる。マッサージ手段７，８としての空気袋と連通するチューブのような上肘掛け部側空気供給管２１の端部に設けたコネクター２２が上肘掛け部４ｂの凹所１８に装着してある。このコネクター２２には筒状の挿入突部２４を有し、挿入突部２４の外周にＯリング２５を装着してある。圧縮空気を供給する供給源と連通したチューブのような本体側空気供給管２６は椅子本体内に挿通してあり、本体側空気供給管２６の端部に設けたコネクター２３を下肘掛け部４ａの上面に装着してある。このコネクター２３には上記挿入突部２４が挿入し得る被挿入凹部２７を設けてある。
【００１８】
下肘掛け部４ａの上に上肘掛け部４ｂを載せて上肘掛け部４ｂの凹所１８内に下肘掛け部４ａを収納すると、コネクター２２とコネクター２３とが接続されて挿入突部２４がＯリング２５を介して被挿入凹部２７に挿入される。このようになっていると、下肘掛け部４ａの上の上肘掛け部４ｂを載設するだけでコネクター２２，２３同士が接続される。これにより後でコネクターを接続する手間が省け、上肘掛け部４ｂを載設するだけで誰でも空気の供給系の接続ができる。また上肘掛け部４ｂを外すだけでコネクター２２，２３の接続を外すことができる。また本体側空気供給管２６が椅子本体内に収納されているため本体側空気供給管２６がチューブのようなものであっても誤って足を引っ掛けたりして抜けてしまったり、破けてしまったりすることがなくなる。
【図面の簡単な説明】
【００１９】
【図１】本発明の実施の形態の一例の椅子式マッサージ機の全体を示す側面図である。
【図２】同上の上肘掛け部を外した状態の側面図である。
【図３】同上の上肘掛け部のカバー片を開いた状態の一部切欠側面図である。
【図４】同上の上肘掛け部のカバー片を開いた状態の一部切欠側面図である。
【図５】同上の椅子式マッサージ機の正面図である。
【図６】同上の他の例の一部切欠側面図である。
【図７】同上のコネクターを示す断面図である。
【符号の説明】
【００２０】
１  椅子  
２  背もたれ
３  座面
４  肘掛け
４ａ  下肘掛け部
４ｂ  上肘掛け部
５  オットマン
６  カバー片
７  マッサージ手段
８  マッサージ手段
２１  上肘掛け部側空気供給管  
２２  コネクター
２３  コンネクター
２６  本体側空気供給管
【図１】
2005177285.tif 000003
【図２】
2005177285.tif 000004
【図３】
2005177285.tif 000005
【図４】
2005177285.tif 000006
【図５】
2005177285.tif 000007
【図６】
2005177285.tif 000008
【図７】
2005177285.tif 000009